(57)【特許請求の範囲】
【請求項１】
フロントパネル（２）を引き出しフレーム部材（３）に留める家具用金具（１）であって、
前記フロントパネル（２）に関連し、前記フロントパネル（２）に予め取り付け可能な接続要素（５）と、
前記引き出しフレーム部材（３）に関連し、前記フレーム部材（３）に接続可能であり、かつフレームプレート（６）と、調整プレート（７）と、調整要素（８、９）とを有する締結装置（４）とを備え、
前記調整要素（８、９）は、前記フレームプレート（６）に配置されかつ前記調整プレート（７）に作用し、それによって前記調整プレート（７）は高さ方向（ＨＲ）および横方向（ＳＲ）に前記フレームプレート（６）に対して移動可能であり、
前記接続要素（５）は調整プレート（７）に吊り下げ可能であり、該吊り下げられた状態でも前記フレームプレート（６）に対して前記調整プレート（７）の変位運動を実施することを特徴とする家具用金具。
【請求項２】
前記調整プレート（７）は前記接続要素（５）をラッチング要素（１１）によって吊り下げ可能である少なくとも１つの吊り下げ溝（１０）を有することを特徴とする、請求項１に記載の家具用金具。
【請求項３】
前記調整プレート（７）は接続要素（５）をそれぞれのラッチング要素（１１、１１’）によって吊り下げ可能である２つの吊り下げ溝（１０、１０’）を有することを特徴とする、請求項２に記載の家具用金具。
【請求項４】
前記接続要素（５）は２つの相互に平行なサイドプレート（１２、１２’）を有し、前記サイドプレート（１２、１２’）の間に配置されるのは前記サイドプレート（１２、１２’）を接続しラッチング要素（１１）を形成するピンであり、それによって前記接続要素（５）は前記締結装置（４）の調整プレート（７）に吊り下げ可能であることを特徴とする、請求項１〜３の一項に記載の家具用金具。
【請求項５】
前記接続要素（５）はＵ字形断面のものであり、前記２つの互いに平行なサイドプレート（１２、１２’）は前記ピンから離れた横断リム（１３）によって互いに接続されることを特徴とする、請求項４に記載の家具用金具。
【請求項６】
前記締結装置（４）は、前記調整プレート（７）に吊り下げられた前記接続要素（５）を前記締結装置（４）に解放可能に拘束できるロッキング装置（１４）を有することを特徴とする、請求項１〜５の一項に記載の家具用金具。
【請求項７】
前記調整プレート（７）は横調整装置の形をした第１の調整要素（８）によって前記フレームプレート（６）に対して横方向（ＳＲ）に調整可能であり、かつ高さ調整装置の形をした第２の調整要素（９）によって前記フレームプレート（６）に対して高さ方向（Ｒ）に変位可能であることを特徴とする、請求項１〜６の一項に記載の家具用金具。
【請求項８】
前記調整プレート（７）は一部材からなり、両調整要素（８、９）は前記調整プレート（７）に作用することを特徴とする、請求項１〜７の一項に記載の家具用金具。
【請求項９】
前記調整プレート（７）は取り付け要素（１５’）によって前記フレームプレート（６）に解放不可能にかつ移動可能に接続されることを特徴とする、請求項１〜８の一項に記載の家具用金具。
【請求項１０】
前記フレームプレート（６）は２つの互いに平行でかつ互いに固定されたプレート部分（６ａ、６ｂ）を有し、前記調整プレート（７）は前記２つのプレート部分（６ａ、６ｂ）の間に配置され、前記２つのプレート部分（６ａ、６ｂ）および前記調整プレート（７）は前記取り付け要素（１５’）によって互いに接続されていることを特徴とする、請求項９に記載の家具用金具。
【請求項１１】
引き出しの底（１７）と、引き出し後壁（１８）と、引き出し側壁を形成する２つの引き出しフレーム部材（３、３’）と、請求項１〜１０の一項に記載の２つの家具用金具（１）を有する引き出しフレーム部材（３）に接続されたフロントパネル（２）とを備える引き出し（１６）。
【請求項１２】
家具カーカス（２０）と該家具カーカス（２０）に対して可動である請求項１１に記載の引き出し（１６）の形をした家具部品とを備える家具（１９）。
【発明の詳細な説明】
【技術分野】
【０００１】
本発明は、フロントパネルに関連し、かつフロントパネルに予め取り付け可能である接続要素と、引き出しフレーム部材に関連し、かつフレーム部材に接続可能でありかつフレームプレート、特に回転可能にフレームプレートに配置され、調整プレートに作用し、それによって調整プレートは高さ方向および横方向にフレームプレートに対して移動可能である調整プレートおよび調整要素を有する締結装置と、を備える引き出しフレーム部材にフロントパネルを留める家具用金具に関する。また、本発明は、このような家具用金具を有する引き出しと対応する引き出しを有する家具とに関する。
【背景技術】
【０００２】
フロントパネルを引き出し容器、とりわけ引き出しフレームに取り付けることができるきわめて多様な方法が先端技術において知られている。その点に関して一方では、フロントパネルはフレーム部材に比較的容易に取り付けられて引き出しフレーム部材から素早く開放可能であることが重要である。他方では、引き出しフレーム部材に対してフロントパネルを少なくとも高さ方向および横方向に調整しうるように調整オプションが提供されることも重要である。
【０００３】
対応する家具用金具を有するこのような引き出しフレーム部材の例が国際公開第２００９／００６６５１号パンフレットに見られ、そこで、引き出しフレーム部材の領域に設けられているのはベースプレートおよび取り付けプレートおよび対応する高さ調整装置ならびに保持プレートおよび傾斜調整装置である。対照的に、横方向調整装置がフロントパネルに取り付け可能な接続要素に配置される。この構造の不都合な点は、引き出しフレーム全体に比較的大きい空間を必要とすることである。つまり、引き出しフレーム部材は、特に下部領域において比較的広く（２ｃｍにわたる）、それゆえ、引き出しにおける利用可能な容積が減少する（高い空間要件）。さらに、ロック機構およびさらに個々の調整機構も非常に込み入っており、比較的多くの部品を含み、それゆえ複雑である。
【０００４】
同様に、同じ不都合な点に関して、欧州特許第０  ６３６  ３２７  Ａ１号明細書には、引き出しのフロントパネルを引き出しフレーム部材に留める装置が開示されている。その場合、偏心器（ｅｃｃｅｎｔｒｉｃ）がベースプレートに対して受入れプレートの高さ方向を調整する機能を果たす。だぼを介してフロントパネルに適合されうる保持部が受入れプレートにフック係合して吊り下げられ、その吊るされた保持部は調整ねじの頭によって横方向に調整されうる。それゆえ、高さ調整用の偏心器は横方向調整用の調整ねじの頭とは別の部分に係合する。
【０００５】
さらに、先行出願ではなく先願の優先権である、本出願者に付与された出願、オーストリア特許第  ５０９  ４１１号明細書は、本発明による特許請求の範囲の分類部分を形成する引き出しフレーム部材を開示している。その明細書は、フロントパネルを解放可能に拘束しうる比較的狭い（１ｃｍ厚未満）引き出しフレーム部材を既に開示している。調整プレートの横および高さ調整用の調整要素は、フロントパネルの締結装置においてそのフレーム部材に提供される。同時にその調整パネルは、フロントパネルに予め取り付け可能で引き出し容器の残部からフロントパネルを取り外す際に締結装置（それゆえ個々の調整要素）からも解放される接続要素を形成する。
【先行技術文献】
【特許文献】
【０００６】
【特許文献１】国際公開第２００９／００６６５１号パンフレット
【特許文献２】欧州特許第０  ６３６  ３２７  Ａ１号明細書
【特許文献３】オーストリア特許第  ５０９  ４１１号明細書
【発明の概要】
【発明が解決しようとする課題】
【０００７】
本発明の目的は、先端技術に関して改良される家具用金具を提供することである。特に、本発明は、家具用金具に求められる空間が縮小されることを条件とすることを目指すもので、同時に、本発明は横調整、高さ調整、およびロックを目的とする機能性がその家具用金具の中に可能な限りコンパクトな構造物として一体化されることを条件とすることを目的とする。
【課題を解決するための手段】
【０００８】
請求項１の分類部分の特徴を有する家具用金具では、接続要素を調整プレートに吊り下げ可能であり、吊り下げられた状態でさらにフレームプレートに対して調整プレートの変位動作を実施するのでその目的は達せられる。先願の優先権の前述した第３のオーストリア明細書と対照的に、そのように接続要素を有するフロントパネルは締結装置から解放可能であり、その場合、調整要素によって適切に調整される調整プレートは締結装置内に留まり、それゆえ、フロントパネルが再適合されるときフロントパネルの過去に設定された位置がその再適合時に不変であることが保証される。その配置のおかげで、引き出し壁（フレーム部材の厚さ）は、１５ｍｍ未満、好ましくは１１ｍｍ未満、あるいはさらに最大でわずか８ｍｍまで減少されうる。さらに、横および高さ調整のための２つの調整要素は、フロントパネルが接続要素とともに非常に簡単な構成のものとなるように締結装置と関連付けられている。「フロントパネルと関連付けられる」という表現は、フロントパネルが外れた状態にある場合に対応する部分がフロントパネル上に配置されることを意味する。これと対照的に、「引き出しフレーム部材に関連付けられる」という表現は、フロントパネルが取り外されるときに対応する部分が引き出しフレーム部材またはその締結装置に残ることを意味する。
【０００９】
本発明の好ましい実施形態では、調整プレートにおいて接続要素が、好ましくはピン形のラッチング要素によって、吊り下げ可能である少なくとも１つの吊り下げ溝を有することが条件とされうる。その配置では、フロントパネルが所定位置に適合されるとラッチング要素が重力によって吊り下げ溝に留まるように、吊り下げ溝が垂直上方に向いているサイド境界を有することが好ましい。
【００１０】
特に高いフロントパネル（２５ｃｍを超える）の場合、調整プレートは接続要素を好ましくはそれぞれのピン形のラッチング要素によって吊り下げ可能である２つの吊り下げ溝を有することを条件としうることが好ましい。その場合、個々のラッチング要素は、垂直に重畳されて配置される。３つまたはそれ以上のラッチング要素が相互に重畳されて一体的に配置されうることも、あるいは組合せ接続要素が除外されるべきでないことも理解されよう。また、同じ接続要素がフロントパネルの両側領域に配置されることも指摘されるべきであり、その接続要素はフレーム部材によって形成された２つの引き出し側壁に適切に対応し、フレーム部材は好ましくは互い関連した鏡像構成の締結装置を有する。
【００１１】
好ましくは、接続要素は、２つの実質的に互いに平行なサイドプレートを有するように適合可能であり、サイドプレート間に配置されるのはサイドプレートを接続し、かつラッチング要素を形成し、それによって接続要素を締結装置の調整プレートに吊り下げ可能であるピンである。それゆえ、接続要素は前進されうるスライダーの形をしていることが好ましい。
【００１２】
接続要素が可能な限り正確に適合した締結装置（さらに具体的には調整プレートの溝に）に取り付けられるように、ラッチング要素を形成する少なくともピンの領域で実質的に互いに平行なサイドプレートの間の間隔が調整プレートの厚さよりも最大で４０％大きくなることを条件とすることが好ましい。調整プレートの厚さに対する２つのサイドプレートの間の幾分大きい間隔によって、接続要素は調整プレートに比較的円滑に吊り下げられうるが、これによって横方向の調整プレートに対する接続要素に関しては過大な遊びが回避される。また、横調整は横の遊びによって容易になる。
【００１３】
あるいは、しかしながら、２つのサイドプレートの間の空間をはるかに大きくすることも条件とされうる。その場合、フロントパネルの取り付け位置においてラッチング要素と調整プレートの間にほとんど遊びがないように溝の領域における調整プレートの厚さに適合される適切な凹所または切り欠きを有するようにすることが条件とされうる。
【００１４】
接続要素に対して特に安定した構造を実現するために、接続要素がＵ字形断面のものであることを条件とすることが好ましい場合もあり、その場合、２つの実質的に互いに平行なサイドプレートがピンから遠い（離れた）横断リムによって互いに接続される。
【００１５】
フロントパネルをフレーム部材に容易に適合させて確実に保持するために、締結装置は調整プレートに吊り下げられた接続要素を固定装置に解放可能に拘束しうるロッキング装置を有することを条件とされることが好ましい。好ましくは、フロントパネルは、工具なしで引き出しフレーム部材に適合されうるが、ロッキング装置を解放するときは工具（ねじ回しなど）が使用されるべきである。
【００１６】
調整プレートは、横調整装置の形をした（横方向の調節機構のとしての）第１の調整要素によってフレームプレートに関して横方向に枢動可能であり、かつ高さ調整装置の形をした（高さ方向の調節機構のとしての）第２の調整要素によってフレームプレートに対して高さ方向に移動可能であることが条件とされることがさらに好ましい。その場合、横方向調整装置はねじの形をしていることが好ましく、調整プレートはねじの旋回（ｔｈｒｅａｄ  ｆｌｉｇｈｔｓ）の領域で作用し、回転によって横方向に枢動しうる。高さ調整装置は、好ましくは、調整プレートに作用し、それぞれの位置に依存して種々の高さまで調整プレートを移動させる偏心器の形をしている。好ましくは、２つの調整要素の回転軸は締結装置のフレームプレートに対する位置で固定される。しかしながら、原則として、調整要素が回転可能でなくたとえば摺動可能に駆動されうる可能性は排除されるべきでない。調整を可能にするために、高さ方向の第２の調整要素を移動可能であるように、第１の調整要素と高さ方向の調整プレートとの間に十分な遊びがある。これに対応するように、横方向の第１の調整要素を移動可能であるように、第２の調整要素と横方向の調整プレートとの間にも十分な遊びがある。
【００１７】
調整要素とともに提供されたロッキング要素が調整プレートの様々な部分に作用するように、調整プレートが多部品構成のものである可能性は除外されるべきでない。しかしながら、好ましくは、調整プレートは一体であり、両調整要素は上記一体調整プレートに作用することが条件とされる。
【００１８】
調整プレートを締結装置のフレームプレートに関して所定範囲で移動しうるように、好ましくは、調整プレートは取り付け要素によってフレームプレートに解放不可能かつ移動可能に接続されることが条件とされる。特に好ましくは、その点に関して、フレームプレートは２つの実質的に互いに平行でかつ互いに固定されたプレート部分を有し、調整プレートは上記２つのプレート部分の間に配置され、２つのプレート部分と調整プレートは取り付け要素によって互いに接続されていることが条件とされる。その場合、フレームプレートの２つのプレート部分のみを互いに接続する取り付け要素が提供されうる。その場合、２つの取り付け要素は、さらにフロントパネルから遠い（離れた）フレームプレートの領域において提供されるべきであり、調整プレートは調整プレートにおけるスロットによって高さ方向に移動可能に取り付け要素に保持され、組み立てられた状態では、フレームプレートのプレート部分の間に解放不可能に保持される。
【００１９】
また、保護は、請求項１１の特徴を有する引き出しと請求項１２の特徴を有する家具に対して主張される。
【図面の簡単な説明】
【００２０】
本発明のさらなる詳細および特徴を以下の図面に示された例として実施形態を参照して具体的な記述によって以下でさらに詳しく説明する。
【図１】家具の図を示す。
【図２】締結前のフレーム部材およびフロントパネルの図を示す。
【図３】まだ互いに接続されていない家具用金具の各部の図を示す。
【図４】フレーム部材に取り付けられたフロントパネルを示す。
【図５】家具用金具の相互接続された各部を示す。
【図６】家具用金具の相互接続された各部の３次元図を示す。
【図７】図６の分解図を示す。
【図８】低いフロントパネルの接続要素と適合する家具の３次元図を示す。
【図９】図８の分解図を示す。
【図１０】接続要素に接続する前の締結装置を示す。
【図１１】図１０の３次元図を示す。
【図１２】接続要素がプレハンギング係合状態（ｐｒｅ−ｈａｎｇｉｎｇｌｙ  ｅｎｇａｇｅｄ  ｃｏｎｄｉｔｉｏｎ）にある側面図を示す。
【図１３】ラッチング要素の吊り下げ溝へのスナップ係合を伴うときの側面図を示す。
【図１４】締結装置にロックされた接続要素の側面図を示す。
【図１５】高いフロントパネルの接続要素の接続前の側面図を示す。
【図１６】高いフロントパネルのロックされた接続要素の側面図を示す。
【図１７】横方向に調整された調整プレートの締結装置の断面を示す。
【図１８】横方向に調整された調整プレートのさらなる断面を示す。
【図１９】接続要素とともに横方向に調整された調整プレートの平面図を示す。
【図２０】中心位置における調整プレートの平面図を示す。
【発明を実施するための形態】
【００２１】
図１は、家具カーカス２０と延長ガイド２１によって家具カーカス２０に対して移動可能な引き出し１６とを備える家具１９の３次元図を示す。この場合、引き出し１６は、引き出しの底１７と、引き出し後壁１８と、引き出し側壁を形成する２つの引き出しフレーム部材３および３’と、引き出しフレーム部材３および３’に接続されうるフロントパネル２とを有する。
【００２２】
図２は、引き出しフレーム部材３に取り付ける前にフロントパネル２に予め取り付けられた２部分接続要素を示す。図３は、接続要素５の第１の部分５ａおよび第２の部分５ｂとともに、引き出しフレーム部材に提供されて家具用金具１を形成する締結装置４を示す。この場合、フロントパネル７ａに取り付けられた状態にあるこれら２つの部分５ａおよび５ｂは、互いに固定された移動不可能な位置関係にあり、フロントパネル２に相互に整列されて配置される。好ましくは、これら２つの部分５ａおよび５ｂは、実質的に相互に同じ構成のものである。
【００２３】
図４は、フロントパネル２に取り付けられている位置における引き出しフレーム部材３を示す。この図に対応して、図５は、接続要素５ａおよび５ｂが締結装置４に接続されロッキング装置１４によって解放可能に拘束される家具用金具１を示す。
【００２４】
図６は、接続要素５を締結装置４に取り付ける家具用金具１を示す。この場合、締結装置４は、フレームプレート６の２つのプレート部分６ａおよび６ｂと、調整プレート７と、２つの調整要素８および９と、ロッキング装置１４とを実質的に備える。不可欠な構成部品として、接続要素５は、Ｕ字形断面の基本要素ならびにラッチング要素１１および１１’と、取り付け要素２３とを有する。これらの取り付け要素２３は、好ましくはだぼの形をしており、接続要素５をフロントパネル２に適合させるのに役立ち、だぼはフロントパネルに適切に設けられたプレボア（ｐｒｅ−ｂｏｒｅｓ）にスプレッダー部分３０によって固定される。
【００２５】
図７における分解図は、プレート部分６ｂにおける５つの取り付け位置２７を示す。また、プレート部分６ａにおける適切に対応する取り付け位置は、参照番号２７によって示される。フレームプレート６の２つのプレート部分６ａおよび６ｂは、取り付け要素１５および１５’によって相互に固定されて接続可能であり、接続された状態では、調整プレート７が着脱不可能であるとはいえ高さ方向ＨＲにおいてフレームプレート６に対して移動可能であるように、取り付け要素１５’は可能な限り遊びがないように調整プレート７のスロット２２に支えられる。この場合、これらの取り付け要素１５’は、部分的に球の一部の形をしている中心領域を有していてもよい。横方向ＳＲにおける移動のための調整要素８は、プレート部分６ｂに回転可能に取り付けられ、ねじ３４によって調整プレート７の受入れ開口２９の端に係合する。十字スロット３３に係合する工具による調整要素８の駆動（回転）によって、調整プレート７がフロントパネルから遠い（離れた）取り付け要素１５’によってプレート部分６ａと６ｂの間の中央に保持されると調整プレート７はプレート部分６ａおよび６ｂに対して枢動される。その点に関して、取り付け要素１５’は、いわば、調整プレート７の旋回軸を形成する。さらに、調整要素９は、プレート部分６ａおよび６ｂに対する高さ方向ＨＲにおける調整プレート７の位置調整用として示される。調整要素９は、プレート部分６ｂにおいて回転可能に取り付けられ偏心器膨らみ部分３５（特に図８参照）を有し、その膨らみ部分は調整プレート７における受入れ開口２８の端で支えられ、調整プレート７の高さ調整はその調整要素９を回転することによって実現される（この留意点の詳細な説明については、たとえば、オーストリア特許第５０９  ４１１号明細書の図１２および１３が適用される）。調整プレート７に関連するのは、調整プレート７の回転軸受入れ手段２６の回転軸部分２５によって回転可能に取り付けられるロッキング要素１４であり、そのロッキング要素１４はロッキングスプリング２４の力によって作用される。また、図７は、接続要素５がラッチング要素１１および１１’によってフック係合して吊り下げられうる吊り下げ溝１０および１０’を示す。
【００２６】
図８および９は低いフロントパネル２の家具用金具１を示し、接続要素５は唯一のラッチング要素１１を有し、したがって、唯一の吊り下げ溝１０も締結装置４の領域に設けられる。原則として、接続要素５が２つ以上の図示された取り付け要素２３を有するが、各ラッチング要素１１に関しては、ラッチング要素１１に対して等しい間隔で配置された２つの取り付け要素２３が設けられる好ましい実施態様として提供される可能性は除外されるべきでない。
【００２７】
図１０および１１は接続要素５を取り付ける前のロッキング要素１４の位置を示し、ロッキングスプリング２４は（少なくとも比較的）解放された状態にある。ロッキング要素１４のわずかに窪んだ領域３６は、調整プレート７の溝形凹所３２とともに接続要素５とそのラッチング要素１１の初期吊り下げ係合のガイドを形成する。対応する「プレハンギング係合位置（ｐｒｅ−ｈａｎｇｉｎｇ  ｅｎｇａｇｅｍｅｎｔ  ｐｏｓｉｔｉｏｎ）」がそれに関連して図１２に示される。特に、その溝形凹所３２は、接続要素５またはフロントパネル２をロック解除すると、パネル２は落下が防止されてロック解除が支援される。また、ロッキングスプリング２４は一方でロッキング要素１４に支えられ、他方で調整プレート７に支えられることが図１２から明らかであろう。
【００２８】
図１３は、締結装置４への接続時またはスナップ係合時の接続要素５およびそのラッチング要素を示し、ロッキング装置１４は左に向かうロッキングノーズ３１の移動によって回転軸部分２５の軸を中心として時計回りの方向に回転される。スプリング２４もその移動中に圧力を加えられる。また、図１３は、不都合な許容範囲状況における事前ロック効果を示す。
【００２９】
図１４は、ロッキング装置１４によってロックされている位置における接続要素５およびそのラッチング要素１１を示し、ロッキングノーズ３１はラッチング要素の上方に配置され、かくしてフロントパネル２の取外しが阻止される。これは、ロッキングノーズ３１が左に向かって移動され、かくしてラッチング要素１１を解放する時計周りの方向において十字スロット３３の駆動とロッキング要素１４の枢動運動のみによる。上側調整要素９が駆動されると、調整プレート７は、プレート部分６ａおよび６ｂに対して高さ方向ＨＲにおいてそれぞれ上方または下方に移動される。
【００３０】
図１５および１６は、締結装置４の２つの吊り下げ溝１０および１０’において吊り下げられる２つのラッチング要素１１および１１’を有する一体接続要素５を示す。その点に関して、ロッキングは関連する外形によって上側吊り下げ溝１０’の領域で達成されるので、唯一のロッキング装置１４が必要とされる。
【００３１】
図１７および１８は、フレームプレート６のプレート部分５ａおよび５ｂに関する調整プレート７の横変位または横枢動運動を端的に示す。調整要素８の駆動または回転によって、ねじ３４の位置が変えられ、ねじ山が旋回する際に接している調整プレートはフロントパネルから遠い（離れた）領域にあるように相応に枢動され、プレート部分６ａと６ｂの間の中央で取り付け要素１５’に保持され、それによって、フロントパネルに向かう調整プレート７の一部は横方向ＳＲに変位される。
【００３２】
図１９および２０はラッチング要素１１がＵ字形断面の接続要素５の２つのサイドプレート１２を接続することを示し、サイドプレート１２は横断リム１３によって互いに一体的に接続されている。調整プレート７がほんのわずかに枢動運動するときは、接続要素５の調整プレート７とサイドプレート１２の間の遊び（約２／１０ｍｍ）により調節プレート７との接続要素の随伴運動はほとんどないため、横変位がほとんどない。しかしながら、調整プレート７が傾くように調整されるにしたがって、接続要素５の位置が相応に傾いていく。この横調整機構は、全体として約１．５ｍｍの横調整をもたらす。接続要素５のサイドプレート１２間の間隔Ａは調整プレート７の厚さＤよりも約３０％大きく、それによって締結装置４上の接続要素５の吊り下げ係合が容易になることは図２０から分かるであろう。
【図１】
0005897588.tif 000002
【図２】
0005897588.tif 000003
【図３】
0005897588.tif 000004
【図４】
0005897588.tif 000005
【図５】
0005897588.tif 000006
【図６】
0005897588.tif 000007
【図７】
0005897588.tif 000008
【図８】
0005897588.tif 000009
【図９】
0005897588.tif 000010
【図１０】
0005897588.tif 000011
【図１１】
0005897588.tif 000012
【図１２】
0005897588.tif 000013
【図１３】
0005897588.tif 000014
【図１４】
0005897588.tif 000015
【図１５】
0005897588.tif 000016
【図１６】
0005897588.tif 000017
【図１７】
0005897588.tif 000018
【図１８】
0005897588.tif 000019
【図１９】
0005897588.tif 000020
【図２０】
0005897588.tif 000021